(57)【要約】  【課題】  配光特性に大きな影響を与えることなく、外部から内部を見えにくくすることができ、全反射を利用する光学部材を用いる場合にも適用が容易な構成を有する照明装置を提供する。  【解決手段】  照明装置５は、第１の方向Ｘに延びる発光管６と、該発光管からの光束が入射する入射部８ａおよび該光束を射出する射出部８ｂを備えた光学部材８とを有する。該射出部は、第１の方向に略直交する第２の方向Ｚに、光軸方向Ｙに対して略直交又は傾斜し、かつ該光軸方向での位置が異なる複数の平面８ｆ１，８ｆ２を有する。【選択図】  図２
2006189482.tif 000002
【特許請求の範囲】
【請求項１】
第１の方向に延びる発光管と、
該発光管からの光束が入射する入射部および該光束を射出する射出部を備えた光学部材とを有し、
前記射出部は、前記第１の方向に直交する第２の方向に、光軸方向に対して略直交又は傾斜し、かつ該光軸方向での位置が異なる複数の平面を有することを特徴とする照明装置。
【請求項２】
前記複数の平面は、前記光軸方向における第１の位置に配置された第１の平面と第２の位置に配置された第２の面とを含み、
前記射出部において、前記第１および第２の平面が前記第２の方向に交互に配置されていることを特徴とする請求項１に記載の照明装置。
【請求項３】
前記複数の平面は、前記光軸方向の一方に位置が変化するように配置されていることを特徴とする請求項１に記載の照明装置。
【請求項４】
前記複数の平面のうち前記第２の方向において互いに隣り合う平面間に、前記光軸方向に略平行な平面が設けられていることを特徴とする請求項１から３のいずれか１つに記載の照明装置。
【請求項５】
前記光学部材は、前記入射面から入射した光を前記第２の方向に反射して前記射出面に導く反射面を有することを特徴とする請求項１から４のいずれか１つに記載の照明装置。
【請求項６】
以下の条件を満足することを特徴とする請求項１から５のいずれか１つに記載の照明装置。
ａ／ｂ≦０．３５
但し、ａは前記第２の方向において隣り合う前記平面間での前記光軸方向での位置差、ｂは前記各平面の前記第２の方向での幅である。
【請求項７】
請求項１から６のいずれか１つに記載の照明装置と、
該照明装置からの光により照明された被写体像を撮影する撮影系とを有することを特徴とする撮影装置。
【発明の詳細な説明】
【技術分野】
【０００１】
本発明は、デジタルカメラ等の撮影装置に搭載され、被写体を照明するフラッシュ等の照明装置に関する。
【背景技術】
【０００２】
撮影装置に用いられている照明装置は、一般に、光源と、この光源から発せられた光束を前方（被写体側）に導く反射鏡と、光源の前方に配置され、所定の配光特性を得るためのフレネルレンズ等の光学部材とで構成されている。
【０００３】
このような照明装置では、反射鏡および光学部材の成形誤差や、光源、反射鏡および光学部材間の位置ずれ等に起因した配光むらを生じやすい。このため、特許文献１では、光学部材（プロテクタ）の入射面に、凹面状のシリンドリカルレンズ面を複数形成した照明装置が提案されている。このシリンドリカルレンズ面は、一般に、棒状の発光管と平行な向きに長く形成され、フラッシュ光を発散させることで、配光むらを緩和する。
【０００４】
ところで、撮影装置の小型化に伴い、照明装置自体の小型化も求められており、特に撮影装置の上下方向の高さを低く抑えつつ、光の利用効率（集光効率）を向上させたいという要望が強い。このため、光学部材として、プリズムやライトガイド等の全反射を利用した光学部材を用いることによって、集光効率の向上と上下方向の光学系の薄型化とを両立させた照明装置も提案されている。
【０００５】
また、最近の撮影装置では、デザイン上、照明装置の内部（発光管やその端子部等）が外部から見えないようにすることも求められている。
【特許文献１】特開２００１−３３７３７２号公報（段落００１１〜００１３、図２〜４等）
【発明の開示】
【発明が解決しようとする課題】
【０００６】
特許文献１の照明装置では、配光むらを緩和させるために光学部材の入射面に複数のシリンドリカルレンズ面を形成することで、照明装置の内部が外部から見え難くなっている。しかしながら、入射面に複数のシリンドリカルレンズ面を形成するため、前述したように全反射を利用する光学部材に適用して必要な配光特性や集光効率を得ることが難しい。すなわち、特に上下方向の小型化が求められている照明装置には不向きである。
【０００７】
本発明は、配光特性に大きな影響を与えることなく、外部から内部を見えにくくすることができ、全反射を利用する光学部材を用いる場合にも適用が容易な構成を有する照明装置およびこれを備えた撮影装置を提供することを目的の１つとしている。
【課題を解決するための手段】
【０００８】
一つの側面としての本発明の照明装置は、第１の方向に延びる発光管と、該発光管からの光束が入射する入射部および該光束を射出する射出部を備えた光学部材とを有する。そして、該射出部は、第１の方向に略直交する第２の方向に、光軸方向に対して略直交又は傾斜し、かつ該光軸方向での位置が異なる複数の平面を有することを特徴とする。
【発明の効果】
【０００９】
本発明によれば、光学部材の射出部に光軸方向に略直交し、光軸方向位置が異なる複数の平面を設けているので、配光特性にほとんど影響を与えることなく、また光量ロスもほとんどなく、外部から内部が見え難い照明装置を実現することができる。また、本発明は、全反射を利用する光学部材を用いる場合にも適用し易く、照明装置および撮影装置の小型化を図る上で特に有効である。
【発明を実施するための最良の形態】
【００１０】
以下、本発明の好ましい実施例について図面を参照しながら説明する。
【実施例１】
【００１１】
図１には、本発明の実施例１である照明装置を備えたカメラ（撮像装置）を示している。図１において、１はカメラ本体である。２はカメラ本体１の前面に設けられたレンズ鏡筒であり、不図示の撮影レンズを保持している。３は光学ファインダである。４は撮影を実行するためのレリーズボタンであり、５は照明ユニット（照明装置）である。照明ユニット５は、カメラ本体１の前面における右上部に設けられており、撮影時に被写体を照明する。
【００１２】
また、１０はＣＣＤセンサ、ＣＭＯＳセンサ等からなる撮像素子であり、撮影レンズにより形成された被写体像を光電変換し、撮像信号を生成する。撮像信号に対しては不図示の画像処理回路によって各種処理が施され、映像信号が生成される。レリーズボタンが操作されると、映像信号又はその一部がキャプチャされ、半導体メモリ等の記録媒体に記録（撮影）される。なお、撮像素子の代わりにフィルムを設け、該フィルムに被写体像を記録するようにしてもよい。
【００１３】
図２には、照明ユニット５の構成を示している。また、図３には、照明ユニット５を分解して示している。
【００１４】
照明ユニット５は、キセノン管等の円筒形状の閃光放電管（発光管）６と、該閃光放電管６から放射状に射出される光束のうち前方（被写体側）以外の後方や上下方向に放射される光束を、前方に向けて反射する反射鏡７とを有する。反射鏡７は、一次元方向（上下方向）に曲率を有し、その内面が高反射率を有する光輝アルミ等の金属材料や、金属蒸着面が内側に形成された樹脂材料等により構成されている。
さらに照明ユニット５は、閃光放電管５から直接入射する光束および反射鏡７で反射して入射する光束を、所定の配光特性の光束に変換又は制御して被写体側に効率良く照射する光学部材８を有する。光学部材８は、アクリル樹脂等の透過率の高い光学用樹脂材料やガラス材料により形成されている。
【００１５】
上記カメラにおいて、不図示の中央演算装置は、例えば「フラッシュオートモード」がセットされている場合には、レリーズボタン４がユーザーによって第１ストローク操作されることに応じて不図示の測光ユニットで被写体輝度を測定し、該測定輝度と撮像素子又はフィルムの感度とに基づいて、照明ユニット５を発光させるか否かを判断する。ここで、「発光させる」と判定した場合には、中央演算装置は発光信号を出力し、反射鏡７に取り付けられた不図示のトリガーリード線を介して閃光放電管６を発光させる。
【００１６】
ここで、照明ユニット５を構成する光学部材８の最も被写体側の面には、左右方向の配光特性を制御するフレネル面等が形成されていない。しかし、光学部材８および反射鏡７の形状を適切に設定することで、左右方向の配光特性を最適化している。また、上下方向の配光特性を最適化するために、反射鏡７および光学部材８の入射面の形状を適切に設定している。
【００１７】
図４には、照明ユニット５を閃光放電管６の中心軸（第１の方向である長手方向に延びる軸）を含む平面で切断したときの断面（上面断面）を示している。ここで、図４には、閃光放電管６から射出した光束のうち前方に発せられ、かつ照射面上で光軸ＡＸＬの方向（以下、単に光軸方向又はＹ方向という）に向かう光束のみを示している。これにより、照明ユニット５を構成する各部品において、実際に光の制御に使用する領域を示すとともに、照射面上において光軸方向に向かう光束がどのような経路で射出されるかを示している。
【００１８】
図４において、閃光放電管６から射出した光束は、光学部材８の最も発光管側に配置された第１の入射面８ａから該光学部材８内に入射した後、最終的には最も被写体側に配置された第１の射出面８ｂから射出する。ここで、光学部材８における第１の入射面８ａと第１の射出面８ｂとの間の左右（図４では上下方向：以下、Ｘ方向という）両側には、第２の射出面８ｄ，８ｄ′が形成され、さらに第２の入射面８ｅ，８ｅ′が形成されている。第２の射出面８ｄ，８ｄ′と第２の入射面８ｅ，８ｅ′との間には空間８ｃ，８ｃ’が形成されている。
【００１９】
図４において、閃光放電管６から射出した光束のうち光軸ＡＸＬ近傍の第１の光束は、第１の入射面８ａから該光学部材８内に入射した後、上記空間８ｃ，８ｃ’を通らずに、狭い照射角度のまま第１の射出面８ｂから射出される。この第１の光束の照射範囲は、撮影レンズを通した撮影範囲を満たす角度に設定されている。
【００２０】
一方、閃光放電管６から射出した光束のうち、光軸ＡＸＬに対して所定角度以上の角度を持って射出した第２の光束は、第１の入射面８ａから光学部材８内に入射した後、第２の射出面８ｄ，８ｄ’から一旦空間８ｃ，８ｃ’に射出した後、第２の入射面８ｅ，８ｅ’から再び光学部材８内に入射する。そして、第１の射出面８ｂから射出する。
【００２１】
第２の射出面８ｄ，８ｄ’は、上下方向（図４においては紙面に垂直な方向：以下、Ｚ方向という）に関して正の屈折力（光学的パワー＝焦点距離の逆数）を持ったシリンドリカルレンズ面として形成されており、第２の光束をＺ方向において収斂させる作用がある。第２の光束の照射範囲は、撮影レンズによる撮影範囲を満たす角度に設定されている。
【００２２】
図５には、照明ユニット５を閃光放電管６の中心軸に直交する平面（ＹＺ面）で切断した場合の断面を示している。
【００２３】
ここで、図５には、閃光放電管６を構成するガラス管の内外径を示している。この種の放電管での実際の発光現象としては、効率を向上させるため、内径一杯に発光させる場合が多く、放電管の内径一杯の発光点からほぼ均一に発光していると考えて差し支えない。しかし、説明を容易にするため、放電管６の中心から射出した光束を代表光束と考え、図中では該代表光束のみを示している。
【００２４】
実際の配光特性としては、図に示したような代表光束に加え、放電管６の周辺部から射出した光束によって、配光特性は全体として若干広がる方向に変化するが、配光特性の傾向としてはほとんど一致するため、以下この代表光束に従って説明する。
【００２５】
図５において、放電管６から前方に射出した光束のうち光軸ＡＸＬに対して第１の角度範囲内で射出した光束は、直接第１の入射面８ａに入射し、該第１の入射面８ａの正の屈折力によって所望の配光特性を持つ光束に変換されて第１の射出面８ｂから射出される。
【００２６】
また、放電管６から前方に射出した光束のうち光軸ＡＸＬに対して第１の角度より大きく第２の角度より小さい角度で射出した光束は、直接第１の入射面８ａに入射し、該第１の入射面８ａで屈折し、さらに光学部材８の上下に形成された反射面８ｇ，８ｇ′で全反射した後、第１の射出面８ｂから射出する。この課程において、該光束は所望の配光特性を持つ光束に変換される。
【００２７】
さらに、放電管６から前方に射出した光束のうち光軸ＡＸＬに対して第２の角度より大きい角度で射出した光束は、反射鏡７で反射した後に第１の入射面８ａに入射し、該第１の入射面８ａで屈折した後、第１の射出面８ｂから射出する。該光束も、この課程において所望の配光特性を持つ光束に変換される。これら３つの光束の合成による照射範囲は、撮影レンズによる撮影範囲を満たす角度となる。
【００２８】
なお、図示していないが、放電管６から後方に射出した光束の光路について説明する。放電管６の後方には、反射鏡７のうち放電管６の中心と同心の半円筒形状の部分が配置されている。また、閃光放電管６のガラス管も放電管６の中心と同心の円筒形状であるため、放電管６の中心から後方に射出した光束はすべてガラス管による屈折の影響を受けずに再度放電管６の中心に戻ってくる。したがって、放電管６の中心に戻ってきた後の光線の振る舞いについては、図５に示した光線とほぼ同等となる。
【００２９】
このような各面形状が設定された照明ユニット５からは、放電管６からの光束が光学部材８と反射鏡７とによりほぼ均一な配光特性を持つ光束に変換されて被写体側に照射される。したがって、小型で、必要照射範囲外への光照射による光量損失の少ない、極めて効率の良い照明ユニットを構成することができる。
【００３０】
次に、図６を用いて光学部材８の第１の射出面（射出部）８ｂの形状について説明する。図６には、図５と同じＹＺ断面での第１の射出面８ｂ付近を拡大して示している。
【００３１】
第１の射出面８ｂには、Ｚ方向（第２の方向）に、略一定のピッチで複数の矩形状の溝部８ｆが形成されている。言い換えると、第１の射出面８ｂは、光軸方向における前側の位置に配置された第１の平面（以下、光軸直交平面という場合もある）８ｆ１と、この第１の平面８ｆ１よりも後方の位置に配置された第２の平面８ｆ２とがＺ方向に交互に並んだ形状に形成されている。そして、第１の平面８ｆ１および第２の平面８ｆ２はいずれも、光軸方向（Ｙ方向）に対して略直交する平面である。また、図３から分かるように、第１の平面８ｆ１および第２の平面８ｆ２はいずれもＸ方向における該第１の射出面８ｂの全体に渡って延びている。
【００３２】
さらに、本実施例では、Ｚ方向において互いに隣り合う第１の平面８ｆ１と第２の平面８ｆ２との間に、光軸方向に対して略平行な第３の平面８ｆ３が、Ｘ方向における該第１の射出面８ｂの全体に渡って延びるように形成されている。
【００３３】
なお、ここにいう「略直交」や「略平行」とは、完全な直交又は平行だけでなく、配光特性に影響を及ぼさない許容誤差範囲で直交又は平行からずれている場合も含む意味である。
【００３４】
ここで、図６には、溝部８ｆの深さ、すなわち第３の平面８ｆ３の光軸方向における幅をａとし、溝部８ｆの幅、すなわち第２の平面８ｆ２のＺ方向の幅をｂとするとき、
ａ：ｂ（アスペクト比）＝１：５
の場合を図示している。
【００３５】
図７は、図６に示した場合において、閃光放電管６の中心から発せられた光線のトレース図である。図７に示すように、閃光放電管６の中心から発せられた光線はほぼすべて第１の射出面８ｂから被写体側に照射されている。また、溝部８ｆの第３の平面８ｆ３で全反射した光線（例えば、破線で示したＲＡＹ１）は、上下対称に反射して、第３の平面８ｆ３で反射せずに射出する光束の照射範囲内に進んでおり、該全反射により全体の配光特性への影響はほとんどないことが分かる。このように、溝部８ｆを矩形状とし、第１の射出面８ｂを前後に位置が異なる光軸直交平面である第１および第２の平面８ｆ１，８ｆ２と光軸平行面である第３の平面８ｆ３とにより構成したことで、光束が発散することなく、第１の射出面８ｆが単一の平面である場合と同等の配光特性を示す。
【００３６】
図８Ａの上側には、本実施例のように、第１の射出面８ｂに矩形状の溝部８ｆを形成した場合の配光シミュレーションを行った結果を示す配光特性図を示し、図８Ａの下側には、そのときの配光特性表を示す。また、図８Ｂの上側には、第１の射出面８ｂを単一の平面として形成した場合の配光シミュレーションを行った結果を示す配光特性図を示し、図８Ｂの下側には、そのときの配光特性表を示す。
【００３７】
ここで、図８Ａの配光シミュレーションは、第１の射出面８ｂのＺ方向全高を４．５ｍｍ、溝部８ｆの深さ（第３の平面８ｆ３のＹ方向幅）であるａを０．１ｍｍ、溝部８ｆの幅（第２の平面８ｆ２のＺ方向幅）であるｂを０．５ｍｍ、溝部８ｆのＺ方向のピッチを０．９ｍｍ、溝部８ｆの数を５として行った。図８Ｂの配光シミュレーションは、溝部８ｂがないこと以外は図８Ａの配光シミュレーションと同条件で行った。
【００３８】
配光特性図は円グラフで示しており、横軸は照射角度を、縦軸は照射角度が０度のときの光度を１とする対数の値を示す。実線は左右方向（Ｘ方向）の光度、破線は上下方向（Ｚ方向）の光度を示している。これらの図より、第１の射出面８ｂに溝部８ｆが形成されている本実施例の場合と、第１の射出面８ｂが溝部のない単一の平面である場合とで、ほぼ同等の配光特性が得られていることが分かる。したがって、本実施例の照明ユニット５によれば、溝部８ｆがないことのみ異なる照明ユニットにおいて撮影レンズの撮影範囲を満たすように設定した照射範囲とほぼ同等の照射範囲を得ることができる。
【００３９】
図９には、本実施例において、第１の射出面８ｂに形成した溝部８ｆのアスペクト比が、ａ：ｂ＝２：５の場合における第１の射出面８ｂの形状および光線トレース図を示している。また、図１０には、第１の射出面８ｂに形成した溝部８ｆのアスペクト比が、ａ：ｂ＝３：５の場合における第１の射出面８ｂの形状および光線トレース図を示している。
【００４０】
これらの図において、破線で示した光線ＲＡＹ２は、図７の場合に対して溝部８ｆのアスペクト比が変化したことの影響により、第１の射出面８ｂ（第１の平面８ｆ１）で全反射している。図７とこれら図９および図１０とを比較すると分かるように、ａ／ｂの値が大きい方が第１の射出面８ｂで全反射する光線が増えている。したがって、照明ユニット５の配光特性や照射効率を溝部８ｆがない照明ユニットに対して変化させないためには、ａ／ｂをできるだけ小さい値にすることが望ましい。
【００４１】
具体的には、シミュレーション結果等より、
ａ／ｂ≦０．３５
であることが望ましい。
【００４２】
また、図７に示したように第１の射出面８ｂを構成することにより、射出面８ｂを光軸方向に見たとき、閃光放電管の外形線と溝部８ｆを構成する第３の平面８ｆ３の線が重なり、またはＺ方向に平行に並ぶことで、閃光放電管の存在を分かりづらくすることが可能となった。したがって、照明ユニット内部が外から見えづらくなり、照明ユニットの見栄えが良くなり、カメラ本体の外観の品位も上がることになる。
【００４３】
なお、上記実施例では、第１の射出面８ｂにおいて溝部８ｆを構成する第３の平面８ｆ３を光軸方向に略平行な平面とした場合について説明したが、図１１に示すように、該第３の平面８ｆ３を光軸方向に対して被写体側に開いた（傾いた）平面として形成してもよい。例えば、光学部材８を樹脂成形する場合に、第３の平面８ｆ３を上記のように傾斜平面とすることにより、型抜きが容易になる。但し、該第３の平面８ｆ３の光軸方向に対する傾斜角度αは、溝部８ｆがない場合の配光特性や照射効率を悪化させない程度に抑える必要がある。
【実施例２】
【００４４】
上記実施例１では、第１の射出面８ｂにおいて前後方向位置が異なる２つの平面を交互に形成した場合について説明したが、図１２に示すように、光軸方向に対して略直交する複数の平面８ｆ１１〜８ｆ１５を、階段状に光軸方向位置が異なるように、つまりは位置が光軸方向一方に変化していくように形成してもよい。
図１２において、破線でカメラ本体１′の外形を示す。カメラ本体１′の前面が傾斜面もしくは曲面として形成されている場合に、その傾斜面又は曲面に合わせて第１の射出面８ｂを構成する光軸直交平面８ｆ１１〜８ｆ１５が前方又は後方に移動していくようにすることで、照射ユニット６を含めたカメラ全体のデザイン性を高めることができる。この場合、各光軸直交平面の高さや各光軸直交平面間の光軸方向のピッチは一定でもよいし、異なってもよい。また、各光軸直交平面の間の平面８ｆ３は、光軸方向に対して略平行な面でもよいし傾斜した面でもよい。
【実施例３】
【００４５】
上記実施例１では、第１の射出面８ｂにおいて第１の平面８ｆ１および第２の平面８ｆ２はいずれも、光軸方向（Ｙ方向）に対して略直交する平面である場合について説明したが、図１３に示すように、光軸方向に対してある傾きを持った複数の平面８ｆ２１〜８ｆ２４を、光軸方向位置が異なるように、つまりは位置が光軸方向一方に変化していくように形成してもよい。
【００４６】
図１３において、破線でカメラ本体１′の外形を示す。カメラ本体１′の前面が傾斜面として形成されている場合に、その傾斜面に合わせて第１の射出面８ｂを構成する傾斜面８ｆ２１〜８ｆ２４が前方又は後方に移動していくようにすることで、照射ユニット６を含めたカメラ全体のデザイン性を高めることができる。この場合、各傾斜面の高さや各傾斜面間の光軸方向のピッチは一定でもよいし、異なってもよい。また、各傾斜面の間の平面８ｆ３は、光軸方向に対して略平行な面でもよいし傾斜した面でもよい。
【実施例４】
【００４７】
上記実施例１では、第１の射出面８ｂにおいて第１の平面８ｆ１および第２の平面８ｆ２はいずれも、光軸方向（Ｙ方向）に対して略直交する平面である場合について説明したが、また図１４に示すように、光軸に対してある曲率を持った複数の曲面８ｆ３１〜８ｆ３４を、光軸方向位置が異なるように、つまりは位置が光軸方向一方に変化していくように形成してもよい。
【００４８】
図１４において、破線でカメラ本体１′の外形を示す。カメラ本体１′の前面が曲面として形成されている場合に、その曲面に合わせて第１の射出面８ｂを構成する曲面８ｆ３１〜８ｆ３４が前方又は後方に移動していくようにすることで、照射ユニット６を含めたカメラ全体のデザイン性を高めることができる。この場合、各曲面の高さや各曲面間の光軸方向のピッチは一定でもよいし、異なってもよい。また、各光軸直交平面の間の平面８ｆ３は、光軸方向に対して略平行な面でもよいし傾斜した面でもよい。
【００４９】
以上説明したように、上記各実施例によれば、特に照明ユニットの上下方向の薄型化を達成しつつ、必要照射範囲での均一な配光特性や良好な集光効率を得ることができ、さらに配光特性に影響をほとんど与えることなく外部からの見栄えを向上させることができる。
【００５０】
なお、上記各実施例では、溝部８ｆのピッチや幅（高さおよび深さ）が一定である場合について説明したが、該ピッチや幅を変化させてもよく、また、溝部の数は上記実施例で示した数に限られない。デザイン的に溝部のピッチや数を決めても構わない。
【００５１】
また、上記実施例では、入射面が光学的パワーを有し、光を全反射させる反射面を備えた光学部材を用いた場合について説明したが、例えば、フレネルレンズを光学部材として用いた場合に、該光学部材におけるフレネルレンズ面とは異なる面を、上記各実施例で説明したような形状に形成してもよい。
【００５２】
さらに、上記各実施例では、表面反射作用を有する反射鏡を用いた照明ユニットについて説明したが、該反射鏡に代えて、内部全反射作用により光束を前方に導く透明体からなる光学素子を用いることも可能である。
【００５３】
また、上記各実施例では、第１の射出面のＸ方向全体に延びる光軸直交平面を形成した場合について説明したが、Ｘ方向において、前後位置が異なる光軸直交平面を交互に形成したり、光軸直交平面を階段状に設けたりしてもよい。
【００５４】
また、本発明における光学部材の形状は、実施例にて説明したものに限られず、最初の入射面と最終の射出面を有する光学部材であればどのような形状のものでもよい。
【図面の簡単な説明】
【００５５】
【図１】本発明の実施例１である照明ユニットを備えたカメラの斜視図。
【図２】実施例１の照明ユニットの斜視図。
【図３】実施例１の照明ユニットの分解斜視図。
【図４】実施例１の照明ユニットの上面断面図。
【図５】実施例１の照明ユニットの側面断面図。
【図６】実施例１の照明ユニットにおける射出部の拡大断面図。
【図７】実施例１の照明ユニットにおける射出部の光線トレース図。
【図８Ａ】実施例１の照明ユニットの配光シミュレーション結果を示すグラフおよび表。
【図８Ｂ】従来の照明ユニットの配光シミュレーション結果を示すグラフおよび表。
【図９】実施例１の照明ユニットにおける射出部の光線トレース図。
【図１０】実施例１の照明ユニットにおける射出部の光線トレース図。
【図１１】実施例１の変形例を示す断面図。
【図１２】本発明の実施例２である照明ユニットの射出部の拡大断面図。
【図１３】本発明の実施例３である照明ユニットの射出部の拡大断面図。
【図１４】本発明の実施例４である照明ユニットの射出部の拡大断面図。
【符号の説明】
【００５６】
１  カメラ本体
２  レンズ鏡筒
５  照明ユニット
６  閃光放電管
７  反射鏡
８  光学部材
８ａ  第１の入射面
８ｂ  第１の射出面
８ｆ  矩形状の溝
８ｆ１  第１の平面
８ｆ２  第２の平面
８ｆ３  第３の平面
８ｆ１１〜８ｆ１５  平面
１０  撮像素子
【図１】
2006189482.tif 000003
【図２】
2006189482.tif 000004
【図３】
2006189482.tif 000005
【図４】
2006189482.tif 000006
【図５】
2006189482.tif 000007
【図６】
2006189482.tif 000008
【図７】
2006189482.tif 000009
【図８Ａ】
2006189482.tif 000010
【図８Ｂ】
2006189482.tif 000011
【図９】
2006189482.tif 000012
【図１０】
2006189482.tif 000013
【図１１】
2006189482.tif 000014
【図１２】
2006189482.tif 000015
【図１３】
2006189482.tif 000016
【図１４】
2006189482.tif 000017